(57)【特許請求の範囲】
【請求項１】
ユニット式建物を構成するユニットの間に、これらユニットの少なくともいずれか一方から延びる排水管と接続される樋が設けられているとともに、前記排水管と樋との少なくともいずれか一方には伸縮自在とされた弾性管が含まれており、かつ前記排水管は各ユニットを構成する枠状の床枠内に配置されて、当該床枠に設けられた排水溝と連通している排水構造であって、
前記弾性管は前記床枠間に形成された隣接空間に配置され、
これら弾性管と排水管または樋との接続部分が当該隣接空間内に位置している
ことを特徴とするユニット式建物の排水構造。
【請求項２】
請求項１に記載されたユニット式建物の排水構造において、
前記弾性管は、前記樋と前記排水管とのいずれか一方に一体化されていることを
特徴とするユニット式建物の排水構造。
【請求項３】
請求項２に記載されたユニット式建物の排水構造において、
前記弾性管は蛇腹であることを特徴とするユニット式建物の排水構造。
【発明の詳細な説明】
【０００１】
【産業上の利用分野】
本発明は、ユニット式建物の排水構造に係り、バルコニユニット、外廊下ユニット等の排水構造に利用できる。
【０００２】
【背景技術】
図４は、従来の排水構造を有する集合住宅１０を示す。
集合住宅１０は、一階１１と二階１２とからなる二階建のユニット式建物であり、一階１１は基礎１３上に配置された五つの一階建物ユニット１１Ａ〜１１Ｅにより構成され、二階１２はそれら一階建物ユニット１１Ａ〜１１Ｅの上部に配置された二階建物ユニット１２Ａ〜１２Ｅにより構成されている。
なお、これらの建物ユニットは、四隅に立設された四本の柱と、これら四本の柱の上端間、下端間に架け渡された上梁、下梁とからなる骨組みを備えた軸組み工法による建物ユニットであり、内部と外部とは外壁パネルで仕切られている。
【０００３】
この集合住宅１０は、二階建物ユニット１２Ａ〜１２Ｅの南側にバルコニ１４を備え、北側に外廊下１５を備えている。さらに、一階建物ユニット１１Ａの側面に階段１６が設置されている。
【０００４】
バルコニ１４は、二階建物ユニット１２Ａ〜１２Ｅに取り付けられたバルコニユニット１４Ａ〜１４Ｅにより形成されており、両端に壁パネル１８が取り付けられ、各バルコニユニット間に仕切板１９が立設されている。また、バルコニ１４には従来の排水構造を有する排水手段７０〜７２が設けられており、これらのうちの排水手段７０がバルコニユニット１４Ａ、１４Ｂの双方から雨水等を排水可能とされ、同様に、排水手段７１がバルコニユニット１４Ｃ、１４Ｄの双方から排水可能とされている。そして、排水手段７２がバルコニユニット１４Ｅからのみ排水可能となっている。
【０００５】
外廊下１５は、図示略の廊下ユニットが二階建物ユニット１２Ａ〜１２Ｅに取り付けられることにより形成されたものである。
階段１６は、その上方側が外廊下１５の片端に接続され、下方側が基礎１３に固定されている。
そして、以上のバルコニ１４、外廊下１５、および階段１６は、基礎１３に立設された複数の支柱１７により支持されている。
【０００６】
図５は、二階建物ユニット１２Ｄと、その両側に隣接された二階建物ユニット１２Ｃ、１２Ｅと、それらの建物ユニットに取り付けられたバルコニユニット１４Ｃ〜１４Ｅとを示す。なお、ここでは、バルコニユニット１４Ｃ〜１４Ｅの床を形成する部材の図示を省略する。
【０００７】
二階建物ユニット１２Ｃ〜１２Ｅは、前述した骨組み２０を有し、柱２０Ａの下端間には下梁２０Ｂが架け渡されている。また、二階建物ユニット１２Ｃ〜１２Ｅの外側には出入口用開口部を備えたオートクレーブ養生の軽量気泡コンクリート製の外壁パネル２１が図示略のブラケットを介して骨組み２０に取り付けられている。
【０００８】
バルコニユニット１４Ｃ〜１４Ｅは、複数のチャンネル材が枠状に接続された床枠２２を含んで形成され、二階建物ユニット１２Ｃ〜１２Ｅと対向する面の両端側には金属プレート２３が溶接等により固定されている。そして、二階建物ユニット１２Ｃ〜１２Ｅにおける骨組み２０にも、金属プレート２３と対応する位置に同様な金属プレート２４が固定されており、これら金属プレート２３、２４同士が当接されて、バルコニユニット１４Ｃ〜１４Ｅがボルトおよびナット等により二階建物ユニット１２Ｃ〜１２Ｅに取り付けられている。また、これらバルコニユニット１４Ｃ〜１４Ｅには二階建物ユニット１２Ｃ〜１２Ｅとは反対側に手摺り壁２５が立設されている。
【０００９】
バルコニユニット１４Ｃ〜１４Ｅの互いに隣接配設された床枠２２の間は、隣接空間２６となっており、この隣接空間２６には前述の柱１７が立設されて両側の床枠２２に図示略のブラケットを介して固定されている。また、バルコニユニット１４Ｃ、１４Ｄの間の隣接空間２６には排水手段７１が設けられ、バルコニユニット１４Ｄ、１４Ｅの間の隣接空間２６には排水手段７２が設けられている。
なお、図４の二階建物ユニット１２Ａ、１２Ｂに取り付けられたバルコニユニット１４Ａ、１４Ｂも、以上に説明したバルコニユニット１４Ｃ、１４Ｄと同様に形成されており、排水手段７０がバルコニユニット１４Ａ、１４Ｂの間の隣接空間に設けられている。
【００１０】
図６は、排水手段７１を示す。
ここで、バルコニユニット１４Ｃ、１４Ｄの床枠２２の上方にはデッキ部材２７が設置され、下方には軒天材２８が取り付けられている。このデッキ部材２７の上面は南側に向かって下り勾配となっており、下り勾配の先端にはバルコニユニット１４Ｃ、１４Ｄの長手方向に沿って排水溝２９が形成されている。また、デッキ部材２７には排水溝２９が隣接空間２６側に向かって下り勾配となるように底板３０が取り付けられ、この底板３０が受け部材３１を介して床枠２２に固定されている。さらに、排水溝２９の隣接空間２６側には底板３０と受け材３１とを貫通する開口２７Ａが設けられ、この開口２７Ａには外フランジを有する円筒状の排水口部材３２が嵌合されている。
【００１１】
なお、デッキ部材２７、連結部材３３、および開口２７Ａを除いたデッキ部材２７の表面には図示略の防水シートが貼られ、バルコニユニット１４Ｃ、１４Ｄに降りそそいだ雨水等が開口２７に嵌合された排水口部材３２を通って排水手段７１に流れ込むようになっている。
【００１２】
バルコニユニット１４Ｃ、１４Ｄにおける各床枠２２の互いに対向するチャンネル材２２Ａには上方、下方のフランジ部に連結部材３３、３４が架け渡されており、各ウェブ部には隣接空間２６と床枠２２の内部とを連通する連通孔３５が設けられている。
【００１３】
排水手段７１は、金属や合成樹脂等からなる複数の筒体が互いに連通するように嵌合接続されて形成されたものであり、一対の排水管７３と、これら排水管７３に接続されて雨水を地上側に落とす樋７４とから形成されている。
【００１４】
排水管７３は、一端が排水口部材３２に接続され、他端が隣接空間２６側に直角に曲がった曲管３６と、伸縮自在な蛇腹状に形成されかつこの曲管３６に接続された弾性管７５と、各弾性管７５に接続された直管７６とを含んで形成され、これらのうちの各曲管３６と各弾性管７５とが床枠２２の内部に配設されおり、各直管７６が床枠２２の内部から隣接空間２６に突出配設されている。
【００１５】
樋７４は、一対の直管７６を隣接空間２６で互いに連通して雨水を外壁パネル２１側に吐き出すように設けられたＴ字状のジョイント管７７と、このジョイント管７７に接続された呼び樋３７と、外壁パネル２１に沿って立設されてこの呼び樋３７に接続された立て樋３８とから形成されている。
なお、図４に示した、排水手段７０は、以上に説明した排水手段７１と同様な構造となっている。
【００１６】
図５に示すように、排水手段７２は、バルコニユニット１２Ｃ、１２Ｅの間の隣接空間２６に設けられて、バルコニユニット１２Ｅ側からのみ排水が行われるようになっている。そして、この排水手段７２は、曲管３６、弾性管７５、直管７６からなる排水管７３と、呼び樋３７、立て樋３８、およびＬ字状のジョイント管７８からなる樋７９とにより形成されている。
【００１７】
以上のようなバルコニ１４では、以下のように排水手段７０〜７２の設置作業を行なう。
先ず、工場で生産された一階、二階建物ユニット１１Ａ〜１１Ｅ、１２Ａ〜１２Ｅを建築現場で組み合わせることにより、一階、二階１１、１２を形成する。その後、工場で予めデッキ部材２７、排水口部材３２、曲管３６が取り付けられたバルコニユニット１４Ａ〜１４Ｅを二階建物ユニット１２Ａ〜１２Ｅに接続する。
【００１８】
次いで、弾性管７５を隣接空間２６からチャンネル材２２Ａの連通孔３５を通して床枠２２の内部の曲管３６に接続し、直管７６を連通孔３５から挿通して床枠２２の内部で弾性管７５に接続して排水管７３を形成する。これにより、直管７６の一端が弾性管７５に接続され、他端が床枠２２の内部から内部空間２６に突出した状態となる。
【００１９】
さらに、排水手段７０および排水手段７１では、バルコニユニット１４Ａ、１４Ｂおよびバルコニユニット１４Ｄ、１４Ｃから延びた排水管７３の直管７６同士をＴ字状のジョイント管７７により接続し、排水手段７２ではバルコニユニット１４Ｅのみから延びた排水管７３にＬ字状のジョイント管７８を接続する。
この後、これらジョイント管７７、７８に呼び樋３７を接続し、この呼び樋３７に立て樋３８を接続して樋７４、７９を形成し、排水手段７０〜７２の設置作業を終了する。
【００２０】
最後に、バルコニユニット１４Ａ〜１４Ｅに軒天材２８、連結部材３３、３４を取り付け、表面に防水シートをはりつけ、壁パネル１８、仕切板１９等を配設してバルコニー１４を完成する。
【００２１】
以上のような排水構造を有する排水手段７０〜７２によれば、バルコニ１４に降りそそいだ雨水等が曲管３６から樋７４、７９を通って排水溝等に流れ落ちるようになる。
また、このような排水手段７０〜７２では、排水管７３が弾性管７５を含んで形成されているため、排水手段７０〜７２を設置するにあたっては、樋７４、７９におけるジョイント管７７、７８と、排水管７３における直管７６との間に位置ズレが生じた場合でも、これらを接続可能になっている。
【００２２】
【発明が解決しようとする課題】
しかし、曲管３６と弾性管７５との接続や、この弾性管７５と直管７６との接続は、デッキ部材２７の下方における床枠２２の内部で行われるため、作業空間が狭く容易ではない。特に、直管７６の弾性管７５への接続は、弾性管７５が蛇腹状であるため、その嵌合部が確実に固定されないことにより接続が難しい。従って、この排水管７３の設置に手間がかかるという問題がある。
【００２３】
一方、工場でバルコニユニット１４Ａ〜１４Ｅの生産時に、曲管３６、弾性管７５、直管７６の接続を行なって、排水管７３を予め設置しておくことも考えられるが、この場合には、トラックの荷台の振動等により、ユニットの建築現場への運搬中に弾性管７５のばたつき等が生じるため、建築現場での弾性管７５の両端における嵌合部の信頼性が低下する。従って、弾性管７５のばたつきを防ぐための複雑な固定手段が必要となる。
【００２４】
本発明の目的は、固定手段を用いなくとも工場で排水管を形成しておくことができ、建築現場での排水管と樋との接続作業を容易に行なえるようになる排水構造を提供することにある。
【００２５】
【課題を解決するための手段】
本発明に係るユニット式建物の排水構造は、ユニット式建物を構成するユニットの間に、これらユニットの少なくともいずれか一方から延びる排水管と接続される樋が設けられているとともに、排水管と樋との少なくともいずれか一方には伸縮自在とされた弾性管が含まれており、かつ前記排水管は各ユニットを構成する枠状の床枠内に配置されて、当該床枠に設けられた排水溝と連通している排水構造であって、弾性管は床枠間に形成された隣接空間に配置され、これら弾性管と排水管または樋との接続部分が当該隣接空間内に位置している。
【００２６】
また、弾性管は単体として設けられてもよいが、樋と排水管とのいずれか一方に一体化されていることが好ましい。
【００２７】
そして、その弾性管はゴム製等であってもよいが、耐候性を有する合成樹脂製等の蛇腹とすることにより劣化を防止できるので好ましい。
【００２８】
【作用】
このような本発明においては、弾性管がユニット間に配置されるため、ユニットの内部には弾性管による接続箇所が無くなり、ユニットの内部の排水管を予め工場で形成しておいても、運搬時の振動により接続箇所の信頼性が低下することがない。従って、建築現場では、弾性管をユニット間の広い空間で設置すればよく、従来のように、狭い空間に排水管を形成する等の作業を行なう必要がないため、樋と排水管との接続作業を容易に行なえるようになる。
【００２９】
また、弾性管が樋と排水管との何れか一方に一体化されている場合には、接続箇所が少なくなるため、接続箇所における水漏れ等の発生を抑えることが可能となる。
【００３０】
【実施例】
以下、本発明の一実施例を図面に基づいて説明する。
図１は、本発明の実施例に係る排水手段４１を示す。
なお、排水手段４１は、図４に示した集合住宅１０に設けられたものであり、集合住宅１０と同じ構成部材には同一符号を付し、ここでの説明を簡略化あるいは省略する。
【００３１】
排水手段４１は、バルコニユニット１４Ｃ、１４Ｄの間に設置されて、これらのバルコニユニット１４Ｃ、１４Ｄから雨水等を排水可能に設けられている。
排水手段４１は、金属製や合成樹脂製等の筒体が複数接続されて形成されており、一端が排水口部材３２に連通接続され他端が連通孔３５から隣接空間２６に突出した一対の排水管４２と、これら排水管４２に連通接続されて雨水を地上の排水溝等に落とす樋４３とを有している。
【００３２】
排水管４２は、曲管３６と直管４４とから形成されている。
樋４３は、各排水管４２を隣接空間２６で互いに連通して雨水を外壁パネル２１側に吐き出すように設けられたＴ字状のジョイント管４５と、このジョイント管４５に接続された呼び樋３７と、外壁パネル２１に沿って立設されてこの呼び樋３７に接続された立て樋３８とから形成されている。
【００３３】
ところで、この排水手段４１は、バルコニユニット１４Ｃ、１４Ｄの間に設けられているが、図４で示した集合住宅１０において、バルコニユニット１４Ａ、１４Ｂの間にも同様に設けられてもよい。
【００３４】
図２にも示すように、ジョイント管４５は、Ｔ字状の基部４５Ａと、この基部４５Ａの各開口端部に径の大きさが基部４５Ａよりもやや大きく設けられた嵌合部４５Ｂとを含んで形成され、これら嵌合部４５Ｂには呼び樋３７、一対の排水管４２が嵌合可能となっている。そして、基部４５Ａと、一対の排水管４２が嵌合される嵌合部４５Ｂとの間には伸縮自在とされた蛇腹部４５Ｃが一体化されて設けられている。
【００３５】
このような実施例において、排水手段４１の設置作業は、先ず、工場でのバルコニユニット１４Ｃ、１４Ｄの生産時に、直管４４を曲管３６に接続して一対の排水管４２を形成しておく。
次いで、建築現場で、ジョイント管４５を含んだ樋４３を形成しておき、この樋４３におけるジョイント管４５と、バルコニユニット１４Ｃ、１４Ｄから延びた排水管４２とを接続して行なう。
【００３６】
このような本実施例によれば、以下のような効果がある。
すなわち、蛇腹部４５Ｃを備えたジョイント管４５が隣接空間２６に配置されるため、バルコニユニット１４Ｃ、１４Ｄの内部には弾性管による接続箇所が無く、排水管４２を曲管３６と直管４４との接続により予め工場で形成しておいても、運搬時の振動により接続箇所の信頼性が低下することがない。従って、建築現場での樋４３と配管４３との接続は、樋４３を蛇腹部４５Ｃを備えたジョイント管４５を含んで形成した後、隣接空間２６でこのジョイント管４５を排水管４２の直管４４に接続するだけでよく、容易に行なうことができる。
さらに、排水管４２を工場で形成可能となるため、バルコニユニット１４Ｃ、１４Ｄの工業化率をも高めることができる。
【００３７】
また、蛇腹部４５Ｃは、ジョイント部材４５に一体化されているため、従来のような弾性管を用いた場合と比べて接続箇所が少なくなるため、接続箇所における水漏れ等の発生を抑えることが可能となる。
【００３８】
そして、従来、軒天材２８の床枠２２への取り付け作業は、建築現場で床枠２２内に排水管を配設した後に行っていたが、本実施例では、この軒天材２８の取り付け作業を工場で排水管４２の形成後に行なうことができ、建築現場での作業性をさらに向上できるうえ、バルコニユニット１４Ｃ１４Ｄの工業化率を一層高めることができる。
【００３９】
図３は、ジョイント管の別実施例を示す。
ジョイント管４６は、図４に示した集合住宅１０のバルコニユニット１４Ｄ、１４Ｅの間に配設されて、バルコニユニット１４Ｅからのみ排水可能に設けられた排水手段に使用されるものである。
【００４０】
このジョイント管４６は、Ｌ字状の基部４６Ａと、この基部４６Ａの両開口端部に径の大きさが基部４６Ａよりもやや大きくされた嵌合部４６Ｂとを含んで形成され、これら嵌合部４６Ｂには呼び樋３７、排水管４２が嵌合可能となっている。そして、基部４６Ａと、排水管４２が嵌合される嵌合部４６Ｂとの間には伸縮自在とされた蛇腹部４６Ｃが一体化されている。
このようなジョイント管４６を用いた排水手段においても、蛇腹部４６Ｃが隣接空間２６に配設されるため、前述の実施例と同様な効果がある。
【００４１】
なお、本発明は前記各実施例に限定されるものではなく、本発明の目的を達成できる他の構成等を含み、以下に示すような変形等も本発明に含まれる。
例えば、前記各実施例では、ジョイント管４５、４６に蛇腹部４５Ｃ、４６Ｃが設けられていたが、このような蛇腹部は、例えば、直管４２における隣接空間２６に突出した部分に設けられた場合であってもよい。
【００４２】
前記各実施例では、ジョイント管４５、４６を有する排水構造がバルコニユニットの間に設けられていたが、例えば、図４に示す外廊下１５を形成するための廊下ユニットの間に設けてもよく、また、庇を庇ユニットで形成する場合には、それらの庇ユニット間に設けてもよい。
さらに、建物ユニット間に設けることにより、雨水を屋根側から建物ユニットの間に設けられた立て樋を通して排水することや、建物ユニット内からの排水を行なってもい。
【００４３】
前記各実施例では、集合住宅１０が軸組みによる建物ユニットの組み合わせにより建てられたものであったが、こられの建物ユニットは軸組みの他、例えば、床パネル、壁パネル、天井パネル等からなるパネル工法による建物ユニット等であってもよい。
【００４４】
前記実施例では、排水構造が集合住宅１０に設けられていたが、本発明の排水構造は集合住宅に限定されるものではなく、戸建等のユニット式建物にも適用できる。
【００４５】
【発明の効果】
以上に述べたように本発明によれば、弾性管をユニットの間に配置することにより、ユニットの内部における弾性管の接続箇所を省いたため、建築現場における樋と排水管との接続作業が容易に行なえるという効果がある。
【００４６】
また、弾性管を樋と排水管との何れか一方と一体化した場合には、接続箇所が少なくなるため、接続箇所における水漏れ等の発生を抑えることができるという効果がある。
【図面の簡単な説明】
【図１】本発明の一実施例に係る排水構造を示す正面図である。
【図２】図１の排水構造を構成するジョイント管の斜視図である。
【図３】前記ジョイント管の別実施例を示す斜視図である。
【図４】従来の排水構造を備えた集合住宅の全体斜視図である。
【図５】従来の排水構造を示す平面図である。
【図６】従来の排水構造を示す正面図である。
【符号の説明】
１０  ユニット式建物である集合住宅
１４Ａ〜１４Ｅ  構成ユニットであるバルコニユニット
４２  排水管
４３  樋
４５、４６  樋の構成部材であって、弾性管が一体化されたジョイント管
【図１】
0003562845.tif 000002
【図２】
0003562845.tif 000003
【図３】
0003562845.tif 000004
【図４】
0003562845.tif 000005
【図５】
0003562845.tif 000006
【図６】
0003562845.tif 000007